(57)【要約】【課題】十分なアンテナ保持力と防滴性、防塵性を得るためのアンテナ保持構造を提供する。【解決手段】携帯通信端末の筺体７に保持部８が固定されている。保持部８の下部にねじ部１０が、アンテナ軸１の給電部５の下部にねじ部１０と螺合するねじ部５ａが切られている。送受信時には、ねじ部１０とねじ部５ａとが当接するまでアンテナ軸１を引き出して、ねじ部５ａとねじ部１０とが螺合するように捻ると、保持部８の底面８ｂが係止部６に当接して、アンテナ軸１の引き出しが完了する。この状態は、アンテナ軸１がねじによって固定されているので、車載時の激しい振動にもアンテナ長が変化することがない。したがって、安定した送受信が保証される。【選択図】図１
2005191634.tif 000002
【特許請求の範囲】
【請求項１】
筺体内へのアンテナの収納と筺体外へのアンテナの引き出しとが可能に構成された携帯端末のアンテナ保持構造であって、前記筺体は前記アンテナを保持するアンテナ保持部を有し、前記アンテナは後端部に鍔状の係止部を有する給電部を有し、前記アンテナ保持部と前記給電部とのそれぞれに互いに適合したねじが切られており、前記アンテナを回転させると前記ねじの作用によって前記アンテナが引き出された状態でロックされるようにしたことを特徴とするアンテナ保持構造。
【請求項２】
アンテナの先端に首部を有し、前記首部の後端部にアンテナ保持部と適合するねじが切られており、前記アンテナを回転させると前記ねじの作用によって前記アンテナが収納された状態でロックされるようにしたことを特徴とする請求項１に記載のアンテナ保持構造。
【請求項３】
アンテナ保持部の上部にリング状の弾性体を設けたことを特徴とする請求項１または請求項２に記載のアンテナ保持構造。
【請求項４】
アンテナ保持部の上部と前記アンテナ保持部の下部とにリング状の弾性体を設けたことを特徴とする請求項１または請求項２に記載のアンテナ保持構造。
【請求項５】
アンテナは、アンテナ保持部に案内され摺動する主軸部の外径よりも、ねじの外径を大きくしたことを特徴とする請求項１乃至請求項４に記載のアンテナ保持構造。
【発明の詳細な説明】
【技術分野】
【０００１】
本発明は携帯通信端末のアンテナ保持構造に関するものであり、携帯電話機、ノート型パソコン等に使用されている収納型のスナップアンテナの保持構造に関する。
【背景技術】
【０００２】
従来、携帯電話や通信機能を備えたノート型パソコン等の携帯通信端末では、収納型アンテナを使用しており、携帯時や通信をしないときはアンテナを収納し、通信時のみアンテナを引き出して使う構造をとっている。
【０００３】
従来のアンテナ保持構造には、例えば下記特許文献１に記載されたものなどが知られている。
【０００４】
図４に従来のアンテナ保持構造の断面図を示す。
【０００５】
図４においてチタン合金などの導電性形状記憶合金からなるアンテナ軸１００は棒状であって、その主軸部１０１の先端部に摘み状の頭部１０２と、頭部１０２に続いてその外径を主軸部１０１よりも太くした首部１０３とが設けられている。首部１０３の途中にはその円周方向に凹部１０３ａが形成されている。一方アンテナ軸１００の後端部には外径を主軸部１０１よりも太くした給電部１０４が設けられている。給電部１０４の途中円周方向に凹部１０４ａとその終端には鍔状の係止部１０５とが設けられている。
【０００６】
アンテナ軸１００は携帯通信端末の筺体１０６に固定された保持部１０７によって保持されている。保持部１０７の上部には弾性爪１０８が固定されている。弾性爪１０８の先端部には、凹部１０３ａとなじむ形状の突起１０９が成形されている。保持部１０７は端子１１０を介して送受信回路部１１１に電気的に接続されている。
【０００７】
図４はアンテナ軸１００を引き出し中の状態を示している。頭部１０２を摘んでアンテナ軸１００を引き出すと、突起１０９はアンテナ軸１００の主軸部１０１を摺動案内する。引き出しの限界が近づくと、給電部１０４が弾性爪１０８を押し広げて摺動し、さらに進んで係止部１０５が保持部１０７の下面１０７ａに当接すると同時に、突起１０９が凹部１０４ａに落ち込み、クリック感とともにアンテナ軸１００は筺体１０６の外に引き出された状態で保持される。このとき、給電部１０４が保持部１０７に保持され、かつ凹部１０４ａが突起１０９によって係止されているので、がたつきがなく安定して保持されている。
【０００８】
アンテナ軸１００を筺体１０６内に収納するには、頭部１０２を押し込む。すると突起１０９が凹部１０４ａを乗り越えて、給電部１０４、主軸部１０１、首部１０３を摺動しながらアンテナ軸１００を筺体１０６の内部に案内する。そして、頭部１０２の下面と保持部１０７の上面１０７ｂとが当接すると同時に、突起１０９が凹部１０３ａに落ち込み、クリック感とともにアンテナ軸１００は筺体１０６内に収納される。
【０００９】
頭部１０２、首部１０３、主軸部１０１、給電部１０４の外径寸法と保持部１０７の内径寸法、弾性爪１０８の形状等は設計レベルで適正数値が選ばれる。
【００１０】
このように構成されたアンテナ保持構造は、アンテナを引き出した状態、アンテナを収納した状態で保持されており、アンテナ長は安定しており、安定した送受信が可能である。また収納されたアンテナが誤って飛び出したりして、不用意にアンテナを破損したりすることもない。
【特許文献１】特開平８−１６２８２１号公報
【発明の開示】
【発明が解決しようとする課題】
【００１１】
しかしながら、上記従来の構成では通常室内の使用では問題なく使用できるが、振動の激しい車などに搭載して使用する場合、振動により、凹部１０３ａが弾性爪１０８から外れ、収納されたアンテナが筐体１０６から飛び出して、不用意にアンテナを破損したり、凹部１０４ａが弾性爪１０８から外れ、アンテナ長が変化し通信状態が変化するため、その度にアンテナを引き出すことが必要であった。また、屋外で使用する場合には、防滴、防塵対策が必要であるが、この点に関しても従来構造では不十分であり、アンテナ保持部を介して霧状の水滴、水分、塵埃などが筐体内に侵入し電気回路やアンテナの機構部を腐食して、電気的導通、通信状態やアンテナの上下運動を不安定にしていた。
【００１２】
本発明は、上記従来の問題点に鑑み、十分なアンテナ保持力と防滴性、防塵性を得るためのアンテナ保持構造を提供することを目的とする。
【課題を解決するための手段】
【００１３】
上述したような課題を解決するために、本発明のアンテナ保持構造は、アンテナの給電部の外周面とアンテナ保持部の内面とにそれぞれに互いに適応したねじが切られており、アンテナを回転させるとねじの作用によりアンテナを引き出した状態でロックできるようにしたことを特徴としている。
【００１４】
このような構成によれば、車載時の激しい振動や、移動時に誤ってアンテナを押し込むような力が加わったとしてもアンテナ長が変化して、送受信状態が変わることがない。したがって、従来構造のようにアンテナ長が変化するつどアンテナを引き上げる手間を省くことができる。また、ねじを介して送受信信号を伝播するので、アンテナ本体と通信回路部との導通が確実である。
【００１５】
また、上記に加えてアンテナの先端部付近にアンテナの主軸部より外径を太くした首部を設け、この首部の後端部に上記アンテナ保持部の内面に切ったねじと螺合するねじを切り、アンテナ収納時にアンテナ先端を回転させると、ねじの作用によりアンテナを収納した状態でロックできるようにした構成であってもよい。
【００１６】
このような構成によれば、車載時の激しい振動や、移動時に誤ってアンテナを引き上げるような力が作用したとしてもアンテナが不用意に飛び出したりすることがない。また、ねじを介して送受信信号を伝播するので、アンテナ本体と通信回路部との電気的な導通が確実である。
【００１７】
さらに、上記アンテナ保持部の上部、または上部と下部とにリング状の弾性体を設け、アンテナ保持部より水滴や塵埃が侵入しない構成のものであってもよい。
【００１８】
このような構成によれば、屋外使用時に雨、霧、埃などがアンテナ保持部を介して携帯通信端末の筺体内に侵入するのを防止することができる。したがって、水分や塵埃が電気回路やアンテナの機構部を腐食して、通信状態やアンテナの上下運動を不安定にすることがない。
【発明の効果】
【００１９】
本発明のアンテナ保持構造によれば、アンテナ保持部とアンテナとを確実にロックし、かつ筺体内部を外気から遮断することが可能となり、これによって送受信時におけるアンテナ長の変化や携帯通信端末内部への水滴、塵埃の侵入を防止することができ、良好な送受信状態を長時間に亘って維持することができる。
【発明を実施するための最良の形態】
【００２０】
以下、本発明の実施の形態について、図面を参照しながら説明する。
【００２１】
（実施の形態１）
図１は本発明の実施の形態１におけるアンテナ保持構造の断面図である。
【００２２】
図１において、アンテナ軸１はチタン合金などの導電性形状記憶合金からなる。棒状のアンテナ軸１は先端の頭部２に続いて、主軸３と、主軸３よりもやや外径の大きな首部４と、首部４と外径が同じである給電部５と、末端の鍔状の係止部６とにより構成されている。給電部５の外周にはねじ部５ａが形成されている。
【００２３】
アンテナ軸１は携帯通信端末の筺体７に固定された保持部８によって保持されている。保持部８は、円筒状で、円筒内部に形成された凹部９と、ねじ部１０と、円筒外周に形成されたねじ部１１とを有する。凹部９内には板ばね１２が円周方向に数枚挿入されている。保持部８はねじ部１１によって筺体７に取り付けられ、保持部８の上面８ａと筺体７の上面７ａは平面をなす。保持部８の外周には端子１３が取り付けられており、端子１３は送受信回路１４に接続している。
【００２４】
図１はアンテナ軸１を引き出す途中の状態を示している。アンテナ軸１は板ばね１２と摺動して案内されている。首部４を摘んでさらにアンテナ軸１を引き出すと、保持部８のねじ部１０と給電部５のねじ部５ａとが当接する。この状態で首部４を引き上げながら、ねじ部５ａとねじ部１０とが螺合するように捻ると、保持部８の底面８ｂが係止部６に当接して、アンテナ軸１の引き出しが完了する。
【００２５】
この状態は、アンテナ軸１がねじの螺合によって固定されているので、車載時の激しい振動にもアンテナ長が変化することがない。したがって、安定した送受信が保証される。
【００２６】
また、アンテナ軸１と送受信回路１４との間の送受信信号は、ねじ部５ａとねじ部１０との複数の螺合点を介して伝達されるので安定した電気的導通が保証される。
【００２７】
次に、引き出したアンテナ軸１を筺体７内に収納する手順を説明する。アンテナ軸１の首部４を摘み、ねじ部５ａとねじ部１０の螺合が解ける方向に回転させながら押し込むと、螺合が解けアンテナ軸１は板ばね１２を摺動する。頭部２を上から押さえつけると、板ばね１２は首部４を摺動して頭部２の下面が保持部８の上面８ａに当接してアンテナ軸１の収納が完了する。
【００２８】
（実施の形態２）
本発明の実施の形態２におけるアンテナ保持構造は、特に屋外の環境の悪い場所で使用される携帯通信端末に適したアンテナ保持構造である。実施の形態１との違いは、保持部２０である。図２に保持部２０の断面図を示す。
【００２９】
図２において、保持部２０には、円筒の内径上部に溝２１が設けられている。溝２１にはゴムなどの弾性体のＯリング２２が装着されている。Ｏリング２２の寸法はアンテナ軸１の首部４および給電部５が圧入されたとき水滴、塵埃に対して十分な遮断効果があり、かつアンテナ軸１の上げ下げに不都合をきたさないように決められる。密閉効果、潤滑性がさらに要求される場合にはOリング２２に潤滑材を塗布することも可能である。
【００３０】
アンテナ軸１を引き出すと給電部５の上部がＯリング２２に、アンテナ軸１を筺体７内に収納すると首部４がＯリング２２に密着する。いずれの場合にもアンテナ軸１の太い部分とＯリング２２とが接触しているので、筺体７内は完全に外気の水滴、塵埃から保護される。さらに必要な場合には、溝を凹部２３の下部（点線２４で示す）にも設け、ここにもＯリングを装着すればさらなる密閉性が得られる。
【００３１】
上記実施の形態ではＯリング２２を保持部２０の円筒内に設けたが、アンテナ軸１の外周部に溝を切り、そこにＯリングを装着しても同様な効果が得られることは言うまでもない。
【００３２】
（実施の形態３）
図３は本発明の実施の形態３のアンテナ保持構造におけるアンテナ軸３０の構成を示す断面図である。図３以外の構成については実施の形態１と同様である。
【００３３】
図３において、アンテナ軸３０はチタン合金などの導電性形状記憶合金からなる。棒状のアンテナ軸３０は先端の頭部３１に続いて、主軸３２と、主軸３２よりもやや外径の大きな首部３３と、首部３３と外径が同じである給電部３４と、末端の鍔状の係止部３５とにより構成されている。首部３３の外周および給電部３４の外周には、携帯通信端末の筺体７に固定された保持部８のねじ部１０と螺合するねじ部３３ａおよびねじ部３４ａが形成されている。
【００３４】
アンテナ軸３０の収納は、アンテナ軸３０を筺体７に押し込めた後、頭部３１を捻るとねじ部１０とねじ部３３ａが螺合する。アンテナ軸３０の引き出しは、実施の形態１と同様に、アンテナ軸３０を引き出した後、頭部３１を捻ることによってねじ部１０とねじ部３４ａとを螺合する。
【００３５】
このアンテナ保持構造は、アンテナ軸３０を筺体７に収納した場合にも、アンテナ軸３０を引き出して使用している場合にも、アンテナ軸３０は螺合によって筺体７に保持されているのでアンテナ長が変わることがない。
【００３６】
また、螺合によって外気と筺体内が遮断されているのでアンテナ収納時、アンテナ使用時とも防滴性、防塵性に優れる。勿論、実施の形態２のように、アンテナ軸３０と保持部２０との間にＯリング２２を介在させればさらに優れた防滴性、防塵性が得られることは言うまでもない。
【産業上の利用可能性】
【００３７】
本発明に係るアンテナ保持構造は、アンテナ引き出し時にアンテナ長が安定しているので車載時に加わる激しい振動に対しても安定して送受信することができ、また防滴性、防塵性に優れるので、屋外で使用する携帯電話、パーソナルコンピュータなどの携帯通信端末用のアンテナ保持構造として有用である。
【図面の簡単な説明】
【００３８】
【図１】本発明の実施の形態１におけるアンテナ保持構造の断面図
【図２】本発明の実施の形態２のアンテナ保持構造における保持部の断面図
【図３】本発明の実施の形態３のアンテナ保持構造におけるアンテナ軸の断面図
【図４】従来のアンテナ保持構造の断面図
【符号の説明】
【００３９】
１，３０    アンテナ軸
２，３１    頭部
３，３２    主軸
４，３３    首部
５，３４    給電部
５ａ，１０，３３ａ    ねじ部
６，３５    係止部
７    筐体
８，２０    保持部
９，２３    凹部
１２    板ばね
２１    溝
２２    Ｏリング
【図１】
2005191634.tif 000003
【図２】
2005191634.tif 000004
【図３】
2005191634.tif 000005
【図４】
2005191634.tif 000006